(57)【要約】【課題】  小型化や軽量化及び効果的な集光を可能とする光学ホイール装置100を提供する。【解決手段】  モータ110と、モータ110のモータ軸111に固定され、モータ軸に略垂直な面に凹部117を有するホイール保持体113と、ホイール保持体のモータと逆側の面に固定される光学ホイール101と、光学ホイールの近傍でモータと逆側に配置される集光レンズ107と、を備え、ホイール保持体における集光レンズ側の方向への突出部の先端面が、集光レンズ107のモータ側の面の平面よりもモータ側に位置する。【選択図】    図４
2015007751.tif 000002
【特許請求の範囲】
【請求項１】
モータと、
前記モータにおけるモータ軸に固定され、前記モータ軸に垂直な面に前記モータ軸を中心とする凹部を有するホイール保持体と、
前記ホイール保持体の前記モータと逆側の面に固定される環状の光学ホイールと、
前記光学ホイールの近傍で前記モータと逆側に配置される集光レンズと、
を備え、
前記ホイール保持体は、前記集光レンズ側の方向へ突出する突出部を有し、
前記突出部の先端面は前記集光レンズの前記モータ側の面の平面よりも前記モータ側に位置することを特徴とする光学ホイール装置。
【請求項２】
前記突出部の先端面は、前記光学ホイールの前記集光レンズ側の面と同一平面か、又は、前記集光レンズ側の面よりも前記モータ側に位置することを特徴とする請求項１に記載した光学ホイール装置。
【請求項３】
前記ホイール保持体は、前記光学ホイールを固定する面に、環状の前記光学ホイールの内径に一致する外径の支持環部を有し、該支持環部の前記光学ホイール側の先端面が前記突出部先端面となっていることを特徴とする請求項１又は請求項２に記載した光学ホイール装置。
【請求項４】
前記支持環部の前記モータ軸側が前記凹部となっていることを特徴とする請求項１乃至請求項３の何れかに記載した光学ホイール装置。
【請求項５】
前記ホイール保持体は、前記光学ホイールを固定する面に、環状の前記光学ホイールの外径に一致する内径の支持環部を有し、該支持環部の前記光学ホイール側の先端面が前記突出部先端面となっていることを特徴とする請求項１乃至請求項４の何れかに記載した光学ホイール装置。
【請求項６】
前記ホイール保持体の前記凹部は、前記ホイール保持体における前記集光レンズ側の面に形成されていることを特徴とする請求項１乃至請求項５の何れかに記載した光学ホイール装置。
【請求項７】
前記ホイール保持体の前記凹部は、前記ホイール保持体における前記モータの側の面に形成されていることを特徴とする請求項１乃至請求項６の何れかに記載した光学ホイール装置。
【請求項８】
前記ホイール保持体の前記凹部には、回転部分の回転バランスを調整するバランス部材が収納されていることを特徴とする請求項１乃至請求項７の何れかに記載した光学ホイール装置。
【請求項９】
前記ホイール保持体は、その本体部において、当該本体部の外周に開口する回転面と略平行なスリットを有することを特徴とする請求項１乃至請求項８の何れかに記載した光学ホイール装置。
【請求項１０】
前記ホイール保持体は、その本体部において、溝状の切欠き溝部を当該本体部に有することを特徴とする請求項１乃至請求項９の何れかに記載した光学ホイール装置。
【請求項１１】
前記切欠き溝部は、前記ホイール保持体の前記本体部の外周から回転中心方向に螺旋状に湾曲して形成されていることを特徴とする請求項１０に記載した光学ホイール装置。
【請求項１２】
前記凹部は、前記ホイール保持体の回転中心を中心軸とする円柱形状に形成されていることを特徴とする請求項１乃至請求項１１の何れかに記載した光学ホイール装置。
【請求項１３】
前記光学ホイールは、前記ホイール保持体に熱伝導性接着剤で固定されていることを特徴とする請求項１乃至請求項１２の何れかに記載した光学ホイール装置。
【請求項１４】
光源装置と、画像光を形成する表示素子と、前記光源装置からの光を前記表示素子に導光する光源側光学系と、前記表示素子から射出された前記画像光をスクリーンに投影する投影側光学系と、前記光源装置及び前記表示素子を制御する投影制御手段と、
を備え、
前記光源装置が、請求項１乃至請求項１３の何れかに記載された光学ホイール装置を含むことを特徴とする投影装置。
【発明の詳細な説明】
【技術分野】
【０００１】
本発明は、光学ホイール装置とこの光学ホイール装置を備えた投影装置に関する。
【背景技術】
【０００２】
今日、パーソナルコンピュータの画面やビデオ画像、さらにメモリカード等に記憶されている画像データによる画像等をスクリーンに投影する画像投影装置としてのデータプロジェクタが多用されている。
【０００３】
このプロジェクタは、光源から射出された光をＤＭＤ（デジタル・マイクロミラー・デバイス）と呼ばれるマイクロミラー表示素子、又は、液晶板に集光させ、スクリーン上にカラー画像を表示させるものである。
【０００４】
そして、この投影装置であるプロジェクタは、パーソナルコンピュータやＤＶＤプレーヤーなどの映像機器の普及に伴って、業務用プレゼンテーションから家庭用に至るまで、用途が拡大している。
【０００５】
このようなプロジェクタにおいて、従来は高輝度の放電ランプを光源とするものが主流であったが、近年、光源として複数のレーザーダイオード等の半導体発光素子を用い、それに伴い複数のレンズやミラー等の光学部品により構成される光源装置の開発や提案が多々なされている。
【０００６】
例えば、レーザーダイオードによる青色の波長帯域光を射出する励起光源と、この励起光源から射出された光を吸収して可視光に変換する蛍光体の層を有し、モータによって回転駆動される光学ホイール（回転板）と、を備えた光源装置及びこの光源装置を備えたプロジェクタが提案されている。
【０００７】
下記に示す特許文献１には、カラーホイールのような回転ディスクの回転時の重量バランスを均等として振動を抑えるために回転ディスクに設けた皿状の容器に硬化性の液体を収容して、回転ディスクの振動を効果的に除去することができる回転ディスクが開示されている。
【先行技術文献】
【特許文献】
【０００８】
【特許文献１】特開２００４−１９７９２２号公報
【発明の概要】
【発明が解決しようとする課題】
【０００９】
しかしながら、上述の特許文献１の提案は、カラーホイールを回転軸の先端で結合させる皿状の容器を設けて、その容器に接着剤を注入させる構成であって、容器を設けることにより、ホイールの励起光源側に励起光を効率良く集光させるための集光レンズ等を配置するにあたって、レンズユニットと容器とのスペースを確保しながら配置させることとなる。
したがって、集光レンズとホイールとの距離を短くすることが困難であって、ホイール装置を大型化させてしまうという課題があった。
【００１０】
本発明は上述したような従来技術の問題点に鑑みてなされたものであり、小型、軽量な光学ホイール装置と、それを用いた投影装置を提供することを目的としている。
【課題を解決するための手段】
【００１１】
本発明の光学ホイール装置は、モータと、前記モータにおけるモータ軸に固定され、前記モータ軸に垂直な面に前記モータ軸を中心とする凹部を有するホイール保持体と、前記ホイール保持体の前記モータと逆側の面に固定される環状の光学ホイールと、前記光学ホイールの近傍で前記モータと逆側に配置される集光レンズと、を備え、前記ホイール保持体は、前記集光レンズ側の方向へ突出する突出部を有し、前記突出部の先端面は前記集光レンズの前記モータ側の面の平面よりも前記モータ側に位置することを特徴とする。
【００１２】
本発明の投影装置は、光源装置と、画像光を形成する表示素子と、前記光源装置からの光を前記表示素子に導光する光源側光学系と、前記表示素子から射出された前記画像光をスクリーンに投影する投影側光学系と、前記光源装置及び前記表示素子を制御する投影制御手段と、を備え、前記光源装置が、上述の本発明の光学ホイール装置を含むことを特徴とする。
【発明の効果】
【００１３】
本発明によれば、小型、軽量な光学ホイール装置と、この光学ホイール装置を用いた投影装置を提供することができる。
【図面の簡単な説明】
【００１４】
【図１】本発明の第１の実施形態に係る投影装置を示す外観斜視図である。
【図２】本発明の第１の実施形態に係る投影装置の機能ブロックを示す図である。
【図３】本発明の第１の実施形態に係る投影装置の内部構造を示す平面模式図である。
【図４】本発明の第１の実施形態に係る光学ホイール装置の一例を示す概略図である。
【図５】本発明の第１の実施形態に係る光学ホイール装置の一例を示す正面概略図である。
【図６】本発明の第２の実施形態に係る光学ホイール装置を用いた投影装置の内部構造を示す平面模式図である。
【図７】本発明の第２の実施形態に係る光学ホイール装置の要部分解斜視図である。
【図８】本発明の第２の実施形態に係る光学ホイール装置の要部概略図である。
【図９】本発明の第３の実施形態に係る光学ホイール装置の要部概略図である。
【図１０】本発明に係るホイール保持体の変形例を示す斜視図であり、図１０の（Ａ）は、本発明の第１の実施形態に係る光学ホイール装置に用いるホイール保持体の変形例を示す斜視図であって、図１０の（Ｂ）は、本発明の第２の実施形態に係る光学ホイール装置に用いるホイール保持体の変形例を示す斜視図である。
【図１１】本発明の第２の実施形態又は第３の実施形態に係る光学ホイール装置に用いるホイール保持体の他の変形例を示す斜視図である。
【図１２】本発明の第１の実施形態に係る光学ホイール装置に用いるホイール保持体の他の変形例を示す斜視図である。
【発明を実施するための形態】
【００１５】
［第１の実施形態］
以下、本発明の第１の実施形態を図に基づいて詳説する。
図１は、投影装置であるプロジェクタ１０の外観斜視図である。
なお、本実施形態において、プロジェクタ１０における左右とは投影方向に対しての左右方向を示し、前後とはプロジェクタ１０のスクリーン側方向及び光線束の進行方向に対しての前後方向を示す。
【００１６】
そして、プロジェクタ１０は、図１に示すように、略直方体形状であって、プロジェクタ筐体の前方の側板とされる正面パネル１２の側方に投影口を覆うレンズカバー１９を有するとともに、この正面パネル１２には複数の吸気孔１８を設けている。
さらに、プロジェクタ１０は、図示しないがリモートコントローラからの制御信号を受信するＩＲ受信部を備えている。
【００１７】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源ユニットや表示素子又は制御回路等が過熱したときに報知をする過熱インジケータ等のキーやインジケータが配置されている。
【００１８】
さらに、筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。
【００１９】
また、背面パネルには、複数の吸気孔が形成されている。
なお、図示しない筐体の側板である右側パネル、及び、図１に示した側板である左側パネル１５には、各々複数の排気孔１７が形成されている。
また、左側パネル１５の背面パネル近傍の隅部には、吸気孔１８も形成されている。
【００２０】
次に、プロジェクタ１０のプロジェクタ制御手段について図２の機能ブロック図を用いて述べる。
プロジェクタ制御手段は、制御部３８、入出力インターフェース２２、画像変換部２３、表示エンコーダ２４、表示駆動部２６等を含む。
【００２１】
この制御部３８は、プロジェクタ１０内の各回路の動作制御を司るものであって、ＣＰＵ、各種セッティング等の動作プログラムを固定的に記憶したＲＯＭ及びワークメモリとして使用されるＲＡＭ等を含む。
【００２２】
そして、このプロジェクタ制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００２３】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２４】
表示駆動部２６は、表示素子制御手段として機能するものであり、表示エンコーダ２４から出力された画像信号に対応して適宜フレームレートで空間的光変調素子（ＳＯＭ）である表示素子５１を駆動するものである。そして、このプロジェクタ１０では、光源ユニット６０から射出された光線束を後述の光源側光学系を介して表示素子５１に照射することにより、表示素子５１の反射光で光像を形成し、投影側光学系を介して図示しないスクリーンに画像を投影表示する。
なお、この投影側光学系の可動レンズ群２３５は、レンズモータ４５によりズーム調整やフォーカス調整のための駆動が行われる。
【００２５】
また、画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２６】
さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２７】
そして、筐体の上面パネル１１に設けられるメインキー及びインジケータ等により構成されるキー／インジケータ部３７の操作信号は、直接に制御部３８に送出され、リモートコントローラからのキー操作信号は、ＩＲ受信部３５で受信され、ＩＲ処理部３６で復調されたコード信号が制御部３８に出力される。
【００２８】
なお、制御部３８にはシステムバス（ＳＢ）を介して音声処理部４７が接続されている。
この音声処理部４７は、ＰＣＭ音源等の音源回路を備えており、投影モード及び再生モード時には音声データをアナログ化し、スピーカ４８を駆動して拡声放音させる。
【００２９】
また、制御部３８は、光源制御手段としての光源制御回路４１を制御しており、この光源制御回路４１は、画像生成時に要求される所定波長帯域の光が光源ユニット６０から射出されるように、光源ユニット６０の赤色、緑色及び青色の波長帯域光を発光させる個別の制御を行う。
【００３０】
さらに、制御部３８は、冷却ファン駆動制御回路４３に光源ユニット６０等に設けた複数の温度センサによる温度検出を行わせ、この温度検出の結果から冷却ファンの回転速度を制御させている。
また、制御部３８は、冷却ファン駆動制御回路４３にタイマー等によりプロジェクタ本体の電源オフ後も冷却ファンの回転を持続させる、あるいは、温度センサによる温度検出の結果によってはプロジェクタ本体の電源をオフにする等の制御も行う。
【００３１】
次に、このプロジェクタ１０の内部構造について述べる。
図３は、プロジェクタ１０の内部構造を示す平面模式図である。
図４は、プロジェクタ１０内の光源装置の一つである蛍光ホイール装置１００の概要を示す一部断面側面図である。
【００３２】
プロジェクタ１０は、図３に示すように、右側パネル１４の近傍に制御回路基板２４１を備えている。
この制御回路基板２４１は、電源回路ブロックや光源制御ブロック等を備える。
また、プロジェクタ１０は、制御回路基板２４１の側方、つまり、プロジェクタ筐体の略中央部分に光源ユニット６０を備えている。
さらに、プロジェクタ１０は、光源ユニット６０と左側パネル１５との間に、画像生成ブロック１６１や投影側ブロック１６８等で形成される光学系ユニット１６０を備えている。
【００３３】
光源ユニット６０は、プロジェクタ筐体の左右方向における略中央部分であって背面パネル１３近傍に配置される青色光源装置７０と、この青色光源装置７０から射出される光線束の光軸上であって正面パネル１２の近傍に配置される光学ホイール装置１００と、青色光源装置７０と光学ホイール装置１００との間に配置される赤色光源装置１２０と、光学ホイール装置１００からの射出光や赤色光源装置１２０からの射出光の光軸が同一の光軸となるように変換して、各色光を所定の一面であるライトトンネル１７５の入射口に集光する導光光学系１４０と、を備える。
【００３４】
青色光源装置７０は、背面パネル１３と光軸が平行になるよう配置された複数の青色光源７１から成る光源群、各青色光源７１からの射出光の光軸を正面パネル１２方向に９０度変換する反射ミラー群７５、反射ミラー群７５で反射した各青色光源７１からの射出光を集光する集光レンズ７８、及び、青色光源７１と右側パネル１４との間に配置されたヒートシンク８１等、を備える。
【００３５】
光源群は、複数の青色レーザー発光器とされる青色光源７１がマトリクス状に配列されて成る。
また、各青色光源７１の光軸上には、各青色光源７１からの各射出光の指向性を高めるように各々平行光に変換するコリメータレンズ７３が夫々配置されている。
また、反射ミラー群７５は、複数の反射ミラーが階段状に配列されてミラー基板７６と一体化されて位置調整を行って生成され、青色光源７１から射出される光線束の断面積を一方向に縮小して集光レンズ７８に射出する。
【００３６】
ヒートシンク８１と背面パネル１３との間には冷却ファン２６１が配置されており、この冷却ファン２６１とヒートシンク８１とによって青色光源７１が冷却される。
さらに、反射ミラー群７５と背面パネル１３との間にも冷却ファン２６１が配置されており、この冷却ファン２６１によって反射ミラー群７５や集光レンズ７８が冷却される。
【００３７】
光学ホイール装置１００は、正面パネル１２と平行となるように、つまり、青色光源装置７０からの射出光の光軸と直交するように配置された光学ホイール１０１と、この光学ホイール１０１を回転駆動するホイールモータ１１０と、青色光源装置７０から射出される光線束を光学ホイール１０１に集光するとともに光学ホイール１０１から背面パネル１３方向に射出される光線束を集光する集光レンズ群１０７と、光学ホイール１０１から正面パネル１２方向に射出される光線束を集光する集光レンズ１１５と、を備える。
【００３８】
光学ホイール１０１は、図５に示すように、青色光源装置７０からの射出光を励起光として受けて緑色波長帯域の蛍光発光光を射出する蛍光発光領域１０３と、青色光源装置７０からの射出光を拡散透過する拡散透過領域１０４と、が周方向に並設されている。
【００３９】
また、回転ホイールとしての光学ホイール１０１の基材１０２は、銅やアルミニウム等から成る金属基材である。
この回転板基材１０２の青色光源装置７０側の表面には、環状の溝が形成され、この溝の底部が銀蒸着等によってミラー加工されており、このミラー加工された表面に緑色蛍光体の層が敷設されている。
さらに、拡散透過領域１０４は、回転板基材１０２の切抜き透孔部に透光性を有する透明基材が嵌入され、この透明基材の表面は、サンドブラスト等による微細凹凸が形成されている。
【００４０】
そして、光学ホイール１０１を緑色光源装置８０とするための緑色蛍光体層とされた蛍光発光領域１０３に照射された青色光源装置７０からの青色波長帯域光は、緑色蛍光体層における緑色蛍光体を励起する。
そして、緑色蛍光体から全方位に蛍光発光された光線束は、直接背面パネル１３側へ、あるいは、光学ホイール１０１の溝部底面で反射したあとに背面パネル１３側へ射出され、集光レンズ群１０７に入射する。
【００４１】
また、光学ホイール１０１の拡散透過領域１０４に照射された青色光源装置７０からの青色波長帯域光は、微細凹凸によって拡散された拡散透過光とされて光学ホイール１０１を透過し、集光レンズ１１５に入射する。
なお、ホイールモータ１１０と正面パネル１２との間には冷却ファン２６１が配置されており、この冷却ファン２６１によって光学ホイール装置１００等が冷却される。
【００４２】
赤色光源装置１２０は、青色光源７１と光軸が平行となるように配置された赤色光源１２１と、赤色光源１２１からの射出光を集光する集光レンズ群１２５と、を備える単色発光装置である。
【００４３】
この赤色光源１２１は、赤色波長帯域の光を発する赤色発光ダイオードである。
そして、この赤色光源装置１２０は、青色光源装置７０からの射出光及び光学ホイール１０１から射出される緑色波長帯域光と光軸が交差するように配置されている。
【００４４】
さらに、赤色光源装置１２０は、赤色光源１２１の右側パネル１４側に配置されるヒートシンク１３０を備える。
そして、ヒートシンク１３０と正面パネル１２との間には冷却ファン２６１が配置されており、この冷却ファン２６１によって赤色光源１２１が冷却される。
【００４５】
そして、導光光学系１４０は、赤色、緑色、青色波長帯域の光線束を集光させる集光レンズや、各色波長帯域の光線束の光軸を変換して同一の光軸とさせる反射ミラー、ダイクロイックミラーを含む。
【００４６】
具体的には、青色光源装置７０から射出される青色波長帯域光及び光学ホイール１０１から射出される緑色波長帯域光と、赤色光源装置１２０から射出される赤色波長帯域光とが交差する位置に、青色及び赤色波長帯域光を透過し、緑色波長帯域光を反射してこの緑色光の光軸を左側パネル１５方向に９０度変換する第一ダイクロイックミラー１４１が配置されている。
【００４７】
また、光学ホイール１０１を拡散透過した青色波長帯域光の光軸上、つまり、集光レンズ１１５と正面パネル１２との間には、青色波長帯域光を反射してこの青色光の光軸を左側パネル１５方向に９０度変換する第一反射ミラー１４３が配置されている。
【００４８】
さらに、第一反射ミラー１４３で反射した青色波長帯域光の光軸上であって光学系ユニット１６０の近傍には、この青色光の光軸を背面パネル１３方向に９０度変換する第二反射ミラー１４５が配置されている。
【００４９】
また、第一ダイクロイックミラー１４１を透過した赤色波長帯域光の光軸及びこの光軸と一致するように第一ダイクロイックミラー１４１により反射された緑色波長帯域光の光軸と、第二反射ミラー１４５で反射した青色波長帯域光の光軸と、が交差する位置には、青色波長帯域光を透過し、赤色及び緑色波長帯域光を反射してこれら赤色及び緑色光の光軸を背面パネル１３方向に９０度変換する第二ダイクロイックミラー１４８が配置されている。
【００５０】
そして、ダイクロイックミラーや反射ミラーの間には、夫々集光レンズが配置されている。
さらに、ライトトンネル１７５の近傍には、ライトトンネル１７５の入射口に光源光を集光する集光レンズ１７３が配置されている。
【００５１】
光学系ユニット１６０は、青色光源装置７０の左側方に位置する照明側ブロック１６１と、背面パネル１３と左側パネル１５とが交差する位置の近傍に位置する画像生成ブロック１６５と、導光光学系１４０と左側パネル１５との間に位置する投影側ブロック１６８と、を含み、
この３つのブロックは、略Ｕの字状に構成されている。
【００５２】
この照明側ブロック１６１は、光源ユニット６０から射出された光源光を画像生成ブロック１６５が備える表示素子５１に導光する光源側光学系１７０の一部を備えている。
【００５３】
この照明側ブロック１６１が有する光源側光学系１７０としては、光源ユニット６０から射出された光線束を均一な強度分布の光束とするライトトンネル１７５や、ライトトンネル１７５から射出された光を集光する集光レンズ１７８、ライトトンネル１７５から射出された光線束の光軸を画像生成ブロック１６５方向に変換する光軸変換ミラー１８１等、がある。
【００５４】
画像生成ブロック１６５は、光源側光学系１７０として、光軸変換ミラー１８１で反射した光源光を表示素子５１に集光させる集光レンズ１８３と、この集光レンズ１８３を透過した光線束を表示素子５１に所定の角度で照射する照射ミラー１８５と、を有している。
【００５５】
さらに、画像生成ブロック１６５は、表示素子５１としてのＤＭＤを備え、この表示素子５１と背面パネル１３との間には表示素子５１を冷却するためのヒートシンク１９０が配置されて、このヒートシンク１９０によって表示素子５１が冷却される。
また、表示素子５１の正面近傍には、投影側光学系２２０としてのコンデンサレンズ１９５が配置されている。
【００５６】
投影側ブロック１６８は、表示素子５１で反射されたオン光をスクリーンに放出する投影側光学系２２０のレンズ群を有している。
この投影側光学系２２０としては、固定鏡筒に内蔵する固定レンズ群２２５と可動鏡筒に内蔵する可動レンズ群２３５とを備えている。
これらは、ズーム機能を備えた可変焦点型レンズとされ、レンズモータにより可動レンズ群２３５を移動させることによりズーム調整やフォーカス調整を可能としている。
【００５７】
このようにプロジェクタ１０を構成することで、光学ホイール１０１を回転させるとともに青色光源装置７０及び赤色光源装置１２０から異なるタイミングで光を射出すると、赤色、緑色及び青色の波長帯域光が、導光光学系１４０を介してライトトンネル１７５に順次入射され、さらに光源側光学系１７０を介して表示素子５１に入射される。
したがって、プロジェクタ１０の表示素子５１であるＤＭＤがデータに応じて各色の光を時分割表示することにより、スクリーンにカラー画像を生成することができる。
【００５８】
この投影装置としてのプロジェクタ１０の光学ホイール装置１００は、図４に示したように、ホイール保持体１１３を用いるものであり、ホイール保持体１１３がモータ軸１１１の先端に固定され、このホイール保持体１１３により、蛍光発光領域１０３や拡散透過領域１０４が円周状に配置される光学ホイール１０１が、モータ軸１１１に取り付けられる。
【００５９】
なお、光学ホイール装置１００の各部を説明するに際し、青色光源装置７０の方向を前方、青色光源装置７０の方向の面を前面、プロジェクタ１０の正面パネル１２方向即ちホイールモータ１１０側の面を裏面として説明する。
【００６０】
このホイール保持体１１３は、モータ軸１１１の軸線と垂直な平面である前面と裏面とを備えた円形形状の本体部１１４を有し、本体部１１４の両面を形成する平面の内の前面を、ホイール支持面１１５として、そこに、光学ホイール１０１が接着固定されている。
【００６１】
そして、このホイール支持面１１５における回転中心側には、光学ホイール１０１の厚みと同一厚みを有して前方に突出する支持環部１１６を有している。
この支持環部１１６は、その外径を光学ホイール１０１の内径と一致し、その内径はモータ軸１１１の外径と一致させて、ホイール保持体１１３をモータ軸１１１の先端に固定する。
【００６２】
そして、前面をホイール支持面１１５とする本体部１１４は、蛍光発光領域１０３や拡散透過領域１０４の内径よりも小さな外径とされている。
したがって、本体部１１４は、拡散透過領域１０４を透過した青色波長帯域光の光学ホイール装置１００からの射出を妨げることなく、光学ホイール１０１を熱伝導性接着剤でホイール支持面１１５に固定することにより、光学ホイール１０１を確実に固定保持する。
【００６３】
尚、外径を光学ホイール１０１の内径に一致させた支持環部１１６は、光学ホールの中心位置を、ホイール保持体１１３の中心位置、即ちホイール装置の回転部分の回転中心となるモータ軸１１１の中心に確実に位置させ、光学ホイール１０１の回転中心がずれないように維持させている。
【００６４】
また、この支持環部１１６の厚みであるホイール支持面１１５からの集光レンズ群１０７側への突出量が光学ホイール１０１の厚みと等しくなっている。
このため、支持環部１１６の集光レンズ群１０７側の前端面１１８と光学ホイール１０１の青色波長帯域光の入射側である前面側平面１０５とは同一平面となり、この平面がモータ軸１１１の先端面と同一平面となるようにこのホイール保持体１１３がモータ軸１１１の先端に固定されている。
【００６５】
従って、この光学ホイール装置１００では、入射される青色波長帯域光が蛍光発光領域１０３や拡散透過領域１０４に照射する際に、
青色波長帯域光を集光し、且つ、蛍光発光領域１０３から出射される蛍光光を集光する集光レンズ群１０７を、光学ホイール１０１の前面直近に配置できる。
【００６６】
それにより、入射光である青色波長帯域光を、効果的に蛍光発光領域１０３や拡散透過領域１０４に集光することができ、且つ、蛍光発光領域１０３から四方に出射される蛍光発光光を、無駄にすることなく集光レンズ群１０７に入射させて効果的に集光することができる。
【００６７】
そして、このホイール保持体１１３は、その本体部１１４の裏側であるホイールモータ１１０側の面も、モータ軸１１１の回転中心軸と垂直な回転平面とされている。
そして、この裏面側には、本体部１１４の回転中心軸を中心軸とする円柱形状とした凹部１１７を有し、この凹部１１７にはアクリル系又はエポキシ系などの接着剤をバランス部材３１０として収納するように接着させている。
【００６８】
この接着剤は、円柱形状とされた凹部１１７における底面の周縁部に、適宜の少量を滴下又は注入して固化させるものである。
この接着剤により、
光学ホイール１０１やホイール保持体１１３の製造誤差、及び、
光学ホイール１０１の蛍光発光領域１０３とする蛍光体の塗布層と回転板基材１０２の切抜き透孔部に透光性を有する透明基材を嵌入する拡散透過領域１０４とを円周方向に分けて配置する等により生じる、
光学ホイール１０１の回転バランスのずれを修正することができる。
【００６９】
このように、このホイール保持体１１３は、その本体部１１４の一面である裏面側に凹部１１７を有する。
そのため、この凹部１１７に接着材などのバランス部材３１０の少量を配置することにより、光学ホイール装置１００の回転部分における重量バランスをバランス部材３１０の量によって調整することができ、回転バランスの調整を容易に行うことができる。
【００７０】
また、バランス部材３１０である接着剤は、図４に示したように凹部１１７の側壁部の角に設置させることにより、凹部１１７の外周壁によって光学ホイール１０１が回転されても遠心力で放射方向（半径外側方向）に接着剤が脱落飛散することを抑止することができる。
【００７１】
尚、凹部１１７は、ホイール保持体１１３の回転中心を中心軸とする円柱形状に限ることなく、ホイール保持体１１３の回転中心を中心とする円形とされた所定幅の溝を環状形状に形成して本体部１１４の裏面に形成されるようにしてもよい。
また、図示しないが、凹部１１７はホイール保持体１１３の両側に設けるようにしてもよい。
【００７２】
このように、この光学ホイール装置１００は、モータ軸１１１側の先端面を光学ホイール１０１の前方面から突出させていないため、光学ホイール１０１に励起光などを効率良く集光させるための集光レンズ群１０７等を含むレンズユニットを配置させるにあたって、設計の自由度が増す。
【００７３】
［第２の実施形態］
また、第１の実施形態では、上記光学ホイール装置１００の光学ホイール１０１は、蛍光発光領域１０３と拡散透過領域１０４とを環状形状に配置する例で説明したが、蛍光発光領域１０３のみを環状に有する光学ホイール１０１としてもよい。
その場合は、この光学ホイール装置１００を用いる投影装置としてのプロジェクタ１０は、図６に示すようなものとなる。
【００７４】
即ち、第２の実施形態における光学ホイール装置１００では、図４に示した光学ホイール装置１００に換えて、拡散透過領域１０４を有しない光学ホイール１０１を備えた光学ホイール装置１００が配置されるとともに、
導光光学系の内、図４に示した光学ホイール１０１の正面パネル１２側に配置される第一反射ミラー１４３や第一反射ミラー１４３の反射光を第二ダイクロイックミラー１４８及びライトトンネル１７５の方向に反射する第二反射ミラー１４５など、光学ホイール１０１を透過した青色波長帯域光のみの経路に配置した光学素子が外されて、
その代わりに青色波長帯域光を発する第二青色光源装置２７０が設けられる。
【００７５】
この第二青色光源装置２７０は、青色光源２７１として青色発光ダイオードを用い、集光レンズ群２７５を有し、
集光レンズ群２７５を透過した青色波長帯域光は、緑色光源装置８０としての光学ホイール装置１００から発せられた緑色波長帯域光及び赤色光源装置１２０からの赤色波長帯域光と、第二ダイクロイックミラー１４８を介して合わせられ、３色の光の各光軸が一致されてライトトンネル１７５に入射する。
【００７６】
この緑色光源装置８０としての光学ホイール装置１００でも、図７及び図８に示すように、光学ホイール１０１は、ホイールモータ１１０に対してホイール保持体１１３を用いてホイールモータ１１０のモータ軸１１１に固定される。
【００７７】
尚、この光学ホイール装置１００は、光学ホイール１０１を透過する光線束が存在しないため、図４に示した光学ホイール１０１の裏面側の集光レンズ１１５を有することなく、光学ホイール１０１の前面側に配置する集光レンズ群１０７のみを備える。
【００７８】
この光学ホイール１０１は、図７及び図８に示したように、円形環状の平板であって、円形外周に沿って一方の面には、環状に蛍光体が塗布された蛍光発光領域１０３を有し、光学ホイール１０１の外径は、ホイール保持体１１３の外径に略等しいか僅かに大きい。
【００７９】
また、ホイール保持体１１３は、その前面及び裏面が回転中心軸に垂直で、ホイールモータ１１０の外径と略同一外径を有する円形状であって、中心にモータ軸１１１を固定する孔を有し、モータ側と逆のホイール保持体１１３の前面側には、この前面側に開口する凹部１１７を有している。
【００８０】
そして、凹部１１７は、回転中心軸を中心軸とする円柱形状として形成され、凹部１１７の周囲に沿って、環状の支持環部１１６が、ホイール保持体１１３の本体部１１４の前面であるホイール支持面１１５から光学ホイール１０１の厚みと略同一の厚みとする高さ分突出している。
また、支持環部１１６の外径は、光学ホイール１０１の内径と等しい。
【００８１】
従って、図８に示したように、熱伝導性接着剤によりホイール保持体１１３の本体部１１４の前面であるホイール支持面１１５に接着固定された光学ホイール１０１に対し、支持環部１１６の図示しない集光レンズ群１０７（図４参照）側の前端面１１８は、
光学ホイール１０１の回転板基材１０２の前面側平面１０５と略同一平面とすることができ、
回転板基材１０２のミラー処理がされた前面に塗布された緑色蛍光体層の前面よりも突出しない状態とできる。
【００８２】
このため、この緑色光源装置８０としての光学ホイール装置１００では、
光学ホイール１０１の前面が、ホイール保持体１１３の最先端面及びモータ軸１１１の先端と同一平面又はホイール保持体１１３の最先端面やモータ軸１１１の先端から僅かに突出した平面とされる。
【００８３】
これにより、光学ホイール１０１の蛍光体層の表面がホイールモータ１１０から最も離れた平面となり、蛍光発光領域１０３とした蛍光体層への入射光及び蛍光体層から出射される蛍光光を集光する集光レンズ群１０７を光学ホイール１０１の直近に配置することができる。
【００８４】
また、円柱形状として前面から窪んだ凹部１１７の底部周縁にバランス部材３１０としての接着剤を配置して回転バランスの調整が可能であることは、前記第１の実施形態における光学ホイール装置１００と同様であり、バランス調整を容易かつ正確に行うことができる。
【００８５】
尚、凹部１１７は回転中心軸を中心軸とする円柱形状に限ることなく、支持環部１１６の内側において回転中心軸を中心とする円形を形成する環状の所要幅を有する溝形状であってもよい。
【００８６】
また、図７及び図８に示した実機の形態では、ホイールモータ１１０としてアウターロータ型モータを用いており、モータ軸１１１とホイールモータ１１０の本体ケースとが一体に回転するモータであるため、ホイール保持体１１３の本体部１１４の裏面をホイールモータ１１０の本体前面と接着してホイール保持体１１３をモータ軸１１１に固定している。
【００８７】
さらに、このホイール保持体１１３は、その外径がホイールモータ１１０の外径に略等しく、前面及び裏面の両面が回転軸と垂直な平面の円形形状としており、光学ホイール１０１の外径もホイール保持体１１３の外径と略等しい。
【００８８】
そのため、光学ホイール装置１００の全体を、ホイールモータ１１０の外径に近い小型とし、且つ、光学ホイール１０１の前方直近に集光レンズ群１０７を配置した小型の光学ホイール装置１００とすることができる。
【００８９】
従って、緑色光源装置８０とした小型の光学ホイール装置１００と、小型化の極めて容易な青色発光ダイオードを用いた第二青色光源装置２７０を使用して、プロジェクタ１０自体の小型化も容易に可能となる。
【００９０】
［第３の実施形態］
更に、本実施の形態における光学ホイール装置１００では、図９に示すように、ホイール保持体１１３の本体部１１４において、本体部１１４の前面や裏面と平行なスリット３０３を本体部１１４の外周面から本体部１１４の中心方向に切り込むように設け、多数の薄板上のフィン３０１を形成するようにしてもよい。
【００９１】
このように、本体部１１４の外周にスリット３０３を設けてホイール保持体１１３の表面積を大きくすることにより、光学ホイール装置１００を軽量化すると共に光学ホイール１０１からの放熱効果を高めることができる。
【００９２】
また、図１０Ａ、図１０Ｂに示すように、ホイール保持体１１３の本体部１１４の外周において、本体部１１４の前面から裏面に至る溝状の切欠き溝部３０５を設けるようにしてもよい。
また、図１１に示すように、スリット３０３と切欠き溝部３０５の両者を設けて本体部１１４に多数の薄板上のフィン３０１を形成することにより、放熱効果をより高めるようにしてもよい。
【００９３】
尚、図１１に示した切欠き溝部３０５では、本体部１１４の外周面からホイール保持体１１３の回転中心に向かう切欠き溝部３０５を螺旋形状とし、ホイール保持体１１３の回転により切欠き溝部３０５部分の空気を本体部１１４の外周方向又は回転中心方向に移動させるようにしている。
このように、切欠き溝部３０５の螺旋形状により、本体部１１４が回転したときには周辺の空気が流動されて、放熱効果がより高まる。
【００９４】
また、光学ホイール１０１の回転板基材１０２が透光性を有することなく、光学ホイール１０１の励起光入射側にのみ蛍光光を出射する場合には、
前述の様に光学ホイール１０１の内径に等しい外径の支持環部１１６を有する構造に限るものでない。
【００９５】
その場合には、光学ホイール１０１の外径をホイール保持体１１３の外径よりも小さくし、光学ホイール１０１の外径に等しい内径とされるホイール支持環部１１６（の凹部）をホイール支持面１１５の外周に沿って形成し、このホイール支持環部１１６の内側に環状形状とされる光学ホイール１０１が挿入固定されるようにしてもよい。
【００９６】
更に、外径を光学ホイール１０１の内径と一致させた第１の支持環部１１６ととともに、内径を光学ホイール１０１の外径と一致させた第２の支持環部とを同心円状に形成し、内側（内径部）の第１の支持環部と外側（外径部）の第２の支持環部との間（の凹部）に光学ホイール１０１を挿入してもよい。
【００９７】
［第４の実施形態］
なお、上記各実施形態では、突出部に相当する支持環部１１６の先端面が、光学ホイール１０１の集光レンズ群１０７側の面と同一平面か、又は、前記光学ホイールの集光レンズ群１０７側の面よりもモータ１１０側に位置する例で説明した。
【００９８】
しかし、図１２に示すように、突出部に相当する支持環部１１６の先端面が、光学ホイール１０１の集光レンズ群１０７側の面よりも集光レンズ群１０７側へ多少突出していたとしても、集光レンズ群１０７の光学ホイール１０１側の面を含む平面よりもモータ１１０側に位置するようにすれば、たとえ、支持環部１１６の径が大きい場合（又は、集光レンズ群１０７の径が大きい場合）であっても、支持環部１１６の先端面が集光レンズ群１０７と干渉しない。
このような構成でも、集光レンズ群１０７と光学ホイール１０１との距離を短くすることができ、小型、軽量な光学ホイール装置とすることができる。
【００９９】
また、図１２は、第１の実施形態の変形例であるが、図７に示した第２の実施形態等のモータ側とは逆のホイール保持体１１３の前面側に開口する凹部１１７を有したホイール保持体１１３であっても、支持環部１１６の先端面を、光学ホイール１０１の集光レンズ群１０７側の面よりも集光レンズ群１０７側へ多少突出させるようにしても良い。
【０１００】
また、凹部１１７は、ホイール保持体１１３のモータ側の面とモータ側とは逆の面との両側に設けるようにしても良い。
【０１０１】
そして、前記光学ホイール装置１００は、緑色光源装置８０とするために蛍光発光領域１０３に緑色蛍光体を用いている例で説明したが、緑色蛍光体と合わせて赤色蛍光体を用いて緑色携帯層と赤色蛍光体層とを環状に配置した蛍光発光領域１０３を形成し、緑色波長帯域光と赤色波長帯域光とを発する光源装置とすることもできる。
【０１０２】
この場合は、発光ダイオードによる赤色光源装置１２０を取り外したプロジェクタ１０とすることができる。
また、光学ホイール１０１としては、赤色蛍光体を緑色蛍光体と合わせて塗布する場合のみでなく、適宜、補色の波長帯域光を発する蛍光体を塗布した光学ホイール１０１とすることもできる。
【０１０３】
そして、蛍光体を塗布する光学ホイール１０１として、回転板基材１０２に透光性を有する基材を用いてホイール保持体１１３の外径よりも外径の大きな回転ホイールとし、この回転板基材１０２の入射側の面に、紫外線を透過させ、且つ、可視光を反射するダイクロイックミラー層を形成し、回転板基材１０２の反対側の面（出射側の面）の上に適宜に可視光波長帯域光を発する蛍光体を塗布するようにしてもよい。
【０１０４】
この光学ホイール１０１を用いる光学ホイール装置１００は、蛍光体塗布面をホイールモータ１１０と逆側として、ホイール保持体１１３によりモータ軸１１１に固定し、この光学ホイール１０１にホイールモータ１１０側から紫外線を照射するようにして、ホイールモータ１１０と逆側に蛍光光を出射させる。
このような構成であっても、光学ホイール１０１の直近に配置する集光レンズ群により、効率よく蛍光光を集光することができる。
【０１０５】
更に、光学ホイール１０１は、蛍光体を塗布した蛍光ホイールに限るものでなく、高輝度放電ランプの白色光を透過させて赤色光、緑色光、赤色光とするカラーホイールであってもよい。
【０１０６】
この光学ホイール１０１をカラーホイールとするとき、カラーホイールからの有色光を集光する集光レンズを配置する場合、ホイールモータ１１０と逆側に配置する集光レンズの配置設計を容易として集光効率を高めることができる。
【０１０７】
そして、光学記憶媒体とされる光ディスク装置であっても、光学ホイール１０１である光ディスクの回転バランスを容易に調整し、入射レンズである集光レンズを光ディスクの直近に配置し、光ディスク装置の小型化を容易とすると共に光ディスクへの入射光を光ディスクの所定個所に集光し、且つ、反射光を効率的に集光することができる。
【０１０８】
以上のように、本実施形態によれば、凹部１１７にバランス部材３１０を配置して好適に光学ホイール１０１の重量バランス調整を行って、振動の発生を抑止しながら小型化、軽量化や部品コストの低減、及び光学ホイールとされる回転ホイールの組み立ての製造コストを低減することができる光学ホイール装置、及び、それを用いた投影装置としてのプロジェクタ１０を提供することができる。
【０１０９】
さらに、本実施形態によれば、回転ホイールを備える光学ホイール装置１００は、ホイールモータ１１０のモータ軸１１１に上述したようなホイール保持体１１３を取り付けているため、ホイールの励起光源側に光を効率良く集光させるための集光レンズ群１０７等からなる集光レンズを配置させるにあたって、設計の自由度が増す。
【０１１０】
そして、ホイール保持体１１３に支持環部１１６を形成して光学ホイール１０１を固定すれば、光学ホイール１０１の中心位置を回転中心へ容易に合わせ、確実に固定維持することができる。
したがって、小型で集光効率の良い光学ホイール装置１００とすることができるとともに、ホイール保持体１１３の組み立て、ひいては投影装置としてのプロジェクタ１０の製造や設計を容易とすることができる。
【０１１１】
また、凹部１１７をホイール保持体１１３の前面である集光レンズ側に設ける場合は、バランス部材３１０の滴下など重量バランスの調整を容易に行うことができ、凹部１１７をホイール保持体１１３の裏面に設ければ、光学ホイール１０１の内径を小さくし、光学ホイール１０１などを大きくすることなく光学ホイール１０１の前面の有効面積を大きくすることが可能となる
【０１１２】
さらに、凹部１１７にバランス部材３１０を収納するようにすれば、光学ホイール装置の回転バランスを適切に調整することができるとともに、バランス部材３１０が回転により脱落することを容易に防止できる。
また、回転中心を中心とする円柱形状の凹部１１７は形成が容易である。
【０１１３】
そして、ホイール保持体１１３の外周にスリット３０３や切欠き溝部３０５を形成すれば、ホイール保持体１１３や光学ホイール１０１の放熱冷却の効率を高めることができる。
また、螺旋状に切欠き溝部３０５を形成することにより、一層放熱効果を高めることができる。
さらに、熱伝導性接着剤によりホイール保持体１１３へ光学ホイール１０１を接着固定すれば、光学ホイール１０１の冷却を効率よく行うことができる。
【０１１４】
本発明のいくつかの実施形態を説明したが、これらの実施形態は、例として提示したものであり、発明の範囲を限定することは意図していない。
これらの新規な実施形態は、その他の様々な形態で実施されることが可能であり、発明の要旨を逸脱しない範囲で、種々の省略、置き換え、変更を行うことができる。
これらの実施形態やその変形は、発明の範囲や要旨に含まれるとともに、特許請求の範囲に記載された発明とその均等の範囲に含まれる。
【０１１５】
以下に、本願出願の最初の特許請求の範囲に記載された発明を付記する。
［１］  モータと、
前記モータにおけるモータ軸に固定され、前記モータ軸に垂直な面に前記モータ軸を中心とする凹部を有するホイール保持体と、
前記ホイール保持体の前記モータと逆側の面に固定される環状の光学ホイールと、
前記光学ホイールの近傍で前記モータと逆側に配置される集光レンズと、
を備え、
前記ホイール保持体は、前記集光レンズ側の方向へ突出する突出部を有し、
前記突出部の先端面は前記集光レンズの前記モータ側の面の平面よりも前記モータ側に位置することを特徴とする光学ホイール装置。
［２］  前記突出部の先端面は、前記光学ホイールの前記集光レンズ側の面と同一平面か、又は、前記集光レンズ側の面よりも前記モータ側に位置することを特徴とする前記［１］に記載した光学ホイール装置。
［３］  前記ホイール保持体は、前記光学ホイールを固定する面に、環状の前記光学ホイールの内径に一致する外径の支持環部を有し、該支持環部の前記光学ホイール側の先端面が前記突出部先端面となっていることを特徴とする前記［１］又は前記［２］に記載した光学ホイール装置。
［４］  前記支持環部の前記モータ軸側が前記凹部となっていることを特徴とする前記［１］乃至前記［３］の何れかに記載した光学ホイール装置。
［５］  前記ホイール保持体は、前記光学ホイールを固定する面に、環状の前記光学ホイールの外径に一致する内径の支持環部を有し、該支持環部の前記光学ホイール側の先端面が前記突出部先端面となっていることを特徴とする前記［１］乃至前記［４］の何れかに記載した光学ホイール装置。
［６］  前記ホイール保持体の前記凹部は、前記ホイール保持体における前記集光レンズ側の面に形成されていることを特徴とする前記［１］乃至前記［５］の何れかに記載した光学ホイール装置。
［７］  前記ホイール保持体の前記凹部は、前記ホイール保持体における前記モータの側の面に形成されていることを特徴とする前記［１］乃至前記［６］の何れかに記載した光学ホイール装置。
［８］  前記ホイール保持体の前記凹部には、回転部分の回転バランスを調整するバランス部材が収納されていることを特徴とする前記［１］乃至前記［７］の何れかに記載した光学ホイール装置。
［９］  前記ホイール保持体は、その本体部において、当該本体部の外周に開口する回転面と略平行なスリットを有することを特徴とする前記［１］乃至前記［８］の何れかに記載した光学ホイール装置。
［１０］  前記ホイール保持体は、その本体部において、溝状の切欠き溝部を当該本体部に有することを特徴とする前記［１］乃至前記［９］の何れかに記載した光学ホイール装置。
［１１］  前記切欠き溝部は、前記ホイール保持体の前記本体部の外周から回転中心方向に螺旋状に湾曲して形成されていることを特徴とする前記［１０］に記載した光学ホイール装置。
［１２］  前記凹部は、前記ホイール保持体の回転中心を中心軸とする円柱形状に形成されていることを特徴とする前記［１］乃至前記［１１］の何れかに記載した光学ホイール装置。
［１３］  前記光学ホイールは、前記ホイール保持体に熱伝導性接着剤で固定されていることを特徴とする前記［１］乃至前記［１２］の何れかに記載した光学ホイール装置。
［１４］  光源装置と、画像光を形成する表示素子と、前記光源装置からの光を前記表示素子に導光する光源側光学系と、前記表示素子から射出された前記画像光をスクリーンに投影する投影側光学系と、前記光源装置及び前記表示素子を制御する投影制御手段と、
を備え、
前記光源装置が、前記［１］乃至前記［１２］の何れかに記載された光学ホイール装置を含むことを特徴とする投影装置。
【符号の説明】
【０１１６】
１０  プロジェクタ              １１  上面パネル
１２  正面パネル
１３  背面パネル                １４  右側パネル
１５  左側パネル                １７  排気孔
１８  吸気孔                    １９  レンズカバー
２０  各種端子（群）            ２１  入出力コネクタ部
２２  入出力インターフェース    ２３  画像変換部
２４  表示エンコーダ            ２５  ビデオＲＡＭ
２６  表示駆動部                ３１  画像圧縮／伸長部
３２  メモリカード              ３５  ＩＲ受信部
３６  ＩＲ処理部                ３７  キー／インジケータ部
３８  制御部                    ４１  光源制御回路
４３  冷却ファン駆動制御回路    ４５  レンズモータ
４７  音声処理部                ４８  スピーカ
５１  表示素子                  ６０  光源ユニット
７０  青色光源装置              ７１  青色光源
７３  コリメータレンズ          ７５  反射ミラー群
７６  ミラー基板                ７８  集光レンズ
８０  緑色光源装置              ８１  ヒートシンク
１００  光学ホイール装置        １０１  光学ホイール
１０２  回転板基材              １０３  蛍光発光領域
１０４  拡散透過領域            １０５  前面側平面
１０７  集光レンズ群
１１０  ホイールモータ          １１１  モータ軸
１１３  ホイール保持体          １１４  本体部
１１５  ホイール支持面          １１６  支持環部
１１７  凹部                    １１８  前端面
１２０  赤色光源装置            １２１  赤色光源
１２５  集光レンズ群            １３０  ヒートシンク
１４０  導光光学系              １４１  第一ダイクロイックミラー
１４３  第一反射ミラー          １４５  第二反射ミラー
１４８  第二ダイクロイックミラー
１６０  光学系ユニット          １６１  照明側ブロック
１６５  画像生成ブロック        １６８  投影側ブロック
１７０  光源側光学系            １７３  集光レンズ
１７５  ライトトンネル
１７８  集光レンズ
１８１  光軸変換ミラー          １８３  集光レンズ
１８５  照射ミラー              １９０  ヒートシンク
１９５  コンデンサレンズ        ２２０  投影側光学系
２２５  固定レンズ群            ２３５  可動レンズ群
２４１  制御回路基板            ２６１  冷却ファン
２７０  第二青色光源装置        ２７１  青色光源
２７５  集光レンズ群
３０１  フィン                  ３０３  スリット
３０５  切欠き溝部              ３１０  バランス部材
【図１】
2015007751.tif 000003
【図２】
2015007751.tif 000004
【図３】
2015007751.tif 000005
【図４】
2015007751.tif 000006
【図５】
2015007751.tif 000007
【図６】
2015007751.tif 000008
【図７】
2015007751.tif 000009
【図８】
2015007751.tif 000010
【図９】
2015007751.tif 000011
【図１０】
2015007751.tif 000012
【図１１】
2015007751.tif 000013
【図１２】
2015007751.tif 000014